(57)【特許請求の範囲】
【請求項１】
使用者が着座可能な座部と、該座部の前部に使用者の足裏を保持する足裏保持面を有するオットマンと、該オットマンを前記座部に着座した使用者に近接又は離間する方向にスライドさせるスライド機構とを有し、
前記足裏保持面に備えられる足裏マッサージ手段にて前記使用者の足裏をマッサージするマッサージ機であって、
前記オットマンが使用状態にあるときに該オットマンと前記座部とを前記スライド機構に沿って近接する方向に付勢する付勢手段を備え、
前記スライド機構によるスライド移動の途中位置で前記付勢手段による前記近接方向への付勢に抗する途中位置ロック機構を備え、
前記足裏マッサージ手段は、膨縮動作可能なエアバッグで構成され、
前記オットマンの前記足裏保持面は回動可能に構成されており、前記足裏保持面が前記足裏マッサージ手段によるマッサージ可能状態に回動された位置では、前記付勢手段による付勢方向と、前記足裏保持面と直交する方向とが常に異なる方向となるように構成され、
前記エアバッグの膨張時に前記オットマンの前記離間方向への移動を抑えることができるように、前記足裏保持面が前記足裏マッサージ手段によるマッサージ可能状態に回動された位置では、前記エアバッグの膨張方向と前記付勢手段による付勢方向とが常に異なる方向となるように構成されることを特徴とするマッサージ機。
【請求項２】
請求項１に記載のマッサージ機であって、
前記エアバッグの膨張方向が前記足裏保持面と直交する方向であることを特徴とするマッサージ機。
【請求項３】
請求項１又は２に記載のマッサージ機において、
前記オットマンが最離間位置である場合に、前記付勢手段による前記オットマンの近接方向への移動を規制すべくロックする最離間位置ロック機構を備えたことを特徴とするマッサージ機。
【請求項４】
請求項１〜３のいずれか一項に記載のマッサージ機において、
前記スライド機構は、前記オットマンを前後方向にスライド移動させる前後スライド機構であることを特徴とするマッサージ機。
【請求項５】
請求項４に記載のマッサージ機において、
前記前後スライド機構は、前記オットマンを前記座部の下部まで後退させて収納可能に構成されたことを特徴とするマッサージ機。
【発明の詳細な説明】
【技術分野】
【０００１】
本発明は、オットマンの足裏保持面にマッサージ手段を備えたマッサージ機に関するものである。
【背景技術】
【０００２】
従来、使用者が着座可能な座部の前部に使用者の脚部を保持するオットマンを備えたマッサージ機が知られている（例えば特許文献１及び特許文献２参照）。
特許文献１のマッサージ機では、オットマンを座部から離れる方向と座部に近づく方向にスライド移動させるスライド機構を備え、使用者個々によって異なる脚部の長さに応じてオットマンと座部との距離が調整可能となっている。
【０００３】
また、特許文献２のマッサージ機では、オットマンを座部の前後方向においてスライド移動させるスライド機構を備えている。このような構成とすることで座部下部の収容空間にオットマンを収容する収容状態と、オットマンを座部の前方に露出させて使用する使用状態とに切り替え可能とされている。これにより、オットマン並びにマッサージ機としての利便性及び意匠性の向上を図っている。
【０００４】
上述したように様々な目的により、オットマンを所定方向にスライド移動させる構成のマッサージ機が開発されている。
【先行技術文献】
【特許文献】
【０００５】
【特許文献１】特開２００８−２９５８７９号公報
【特許文献２】特開２０１０−７５４２１号公報
【発明の概要】
【発明が解決しようとする課題】
【０００６】
ところで、上記のようなマッサージ機において、オットマンをばね等の付勢手段によって一方向（例えば使用者側）に付勢する方法が考えられる。このような構成のマッサージ機では、例えばオットマンをスライド移動の移動範囲の途中で使用者の任意の位置で付勢による移動をロックする（停止させる）ロック機構を設ける必要がある。
【０００７】
また、上記のようなマッサージ機に使用されるオットマンでは、使用者の足裏を保持する足裏保持面を有して、使用者の足裏をマッサージするマッサージ手段を設けることが考えられる。オットマンの足裏保持面に設けられるマッサージ手段では、足裏保持面から離間する方向である使用者の足裏側に刺激を付与することでマッサージ効果を得ることができるようになっている。
【０００８】
しかしながら、例えば、前記付勢手段による付勢方向と前記マッサージ手段による使用者の足裏側に刺激を付与する方向が一致した場合には前記マッサージ手段によってオットマンが前記付勢方向と逆方向に移動してしまう。これによって使用者の足裏に対して効果的なマッサージを付与することができない虞があった。
【０００９】
本発明は、上記課題を解決するためになされたものであって、その目的は、オットマンの足裏保持面に設けられるマッサージ手段によるマッサージ効果を向上させることが可能なマッサージ機を提供することにある。
【課題を解決するための手段】
【００１０】
上記課題を解決するために、本発明のマッサージ機は、
使用者が着座可能な座部と、該座部の前部に使用者の足裏を保持する足裏保持面を有するオットマンと、該オットマンを前記座部に着座した使用者に近接又は離間する方向にスライドさせるスライド機構とを有し、前記足裏保持面に備えられる足裏マッサージ手段にて前記使用者の足裏をマッサージするマッサージ機であって、前記オットマンが使用状態にあるときに該オットマンと前記座部とを前記スライド機構に沿って近接する方向に付勢する付勢手段を備え、前記スライド機構によるスライド移動の途中位置で前記付勢手段による前記近接方向への付勢に抗する途中位置ロック機構を備え、前記足裏マッサージ手段は、膨縮動作可能なエアバッグで構成され、前記オットマンの前記足裏保持面は回動可能に構成されており、前記足裏保持面が前記足裏マッサージ手段によるマッサージ可能状態に回動された位置では、前記付勢手段による付勢方向と、前記足裏保持面と直交する方向とが常に異なる方向となるように構成され、前記エアバッグの膨張時に前記オットマンの前記離間方向への移動を抑えることができるように、前記足裏保持面が前記足裏マッサージ手段によるマッサージ可能状態に回動された位置では、前記エアバッグの膨張方向と前記付勢手段による付勢方向とが常に異なる方向となるように構成されることを特徴とする。
【００１１】
また上記構成において、足裏マッサージ手段は、前記エアバッグの膨張方向が前記足裏保持面と直交する方向であることが好ましい。
また上記構成において、前記オットマンが最離間位置である場合に、前記付勢手段による前記オットマンの近接方向への移動を規制すべくロックする最離間位置ロック機構を備えることが好ましい。
【００１２】
また上記構成において、スライド機構は、前記オットマンを前後方向にスライド移動させる前後スライド機構であることが好ましい。
また上記構成において、前後スライド機構は、前記オットマンを前記座部の下部まで後退させて収納可能に構成されることが好ましい。
【発明の効果】
【００１３】
本発明によれば、オットマンの足裏保持面に設けられるマッサージ手段によるマッサージ効果を向上させることが可能なマッサージ機を提供することができる。
【図面の簡単な説明】
【００１４】
【図１】本実施形態におけるマッサージ機の概略構成を説明するための側面図である。
【図２】オットマンの収納状態について説明するための側面図である。
【図３】ロック機構について説明するための側面図である。
【図４】（ａ）はオットマンの途中位置での使用状態における脚載可能状態について説明するための側面図であり、（ｂ）は途中位置での使用状態におけるロック機構について説明するための側面図である。
【図５】オットマンの途中位置での使用状態におけるマッサージ可能状態について説明するための側面図である。
【図６】（ａ）はオットマンの最前方位置での使用状態における脚載可能状態について説明するための側面図であり、（ｂ）は最前方位置での使用状態におけるロック機構について説明するための側面図である。
【図７】オットマンの最前方位置でのマッサージ可能状態について説明するための側面図である。
【図８】オットマンのエアバッグについて説明するための斜視図である。
【発明を実施するための形態】
【００１５】
以下、本発明を具体化した一実施形態を図面に従って説明する。
図１に示すように椅子型のマッサージ機１０は、左右一対の支持脚部１１にて支持された座部１２の後端に背もたれ部１３が組み付けられるとともに、座部１２の前端にオットマン１４が組み付けられてなる。また、マッサージ機１０は、着座した使用者の腕部を置くことのできる肘掛け部１６が座部１２の左右に設けられている。
【００１６】
背もたれ部１３には、施療子１７ａを有するマッサージ機構１７が内装されるとともに、背もたれ部１３の上下方向及び左右方向にマッサージ機構１７（施療子１７ａ）を所定量移動可能に構成されている。
【００１７】
オットマン１４は、使用者の脚部のうち下腿部分を保持するための脚部用保持部２１と、足先部分の足裏部分を保持するための足部用保持部２２とを別体に設けたものである。なお、ここでの「下腿部分」は膝から足首までの部分を意味し、「足先部分」は足首から先の部分を意味する。
【００１８】
図８に示すように、オットマン１４の脚部用保持部２１は、使用者の下腿部分の裏側（脹脛）から保持可能な２つの下腿保持面２１ａ（図１では１つのみ図示）と、各下腿保持面２１ａの左右両側から延出する側壁２１ｂとを有している。このため、各側壁２１ｂ間に使用者の脚部（下腿）を挿入可能となっている。また、オットマン１４の足部用保持部２２は、使用者の足裏部分を保持可能な１つの足裏保持面２２ａと、この足裏保持面２２ａの左右方向両側から延出する側壁２２ｂと、足裏保持面２２ａの裏側に位置する脚載面２２ｃとを有している。脚部用保持部２１の側壁２１ｂ及び足部用保持部２２の足裏保持面２２ａには膨収動作が可能なエアバッグ２３，２４が設けられている。
（スライド機構）
また、本実施形態のマッサージ機１０のオットマン１４は、スライド機構３０によってオットマン１４が前後方向に移動可能に構成される。このスライド機構３０は、座部１２の下部に収納される収納状態（図１及び図２参照）と、座部１２の前方にオットマン１４が露出されてオットマン１４を使用可能な使用状態（図４〜図７参照）とに切り替え位置まで移動となっている。
【００１９】
図２に示すようにスライド機構３０は、レール部材３１と、スライドフレーム３２とを有している。スライド機構３０を構成するレール部材３１は、座部１２を構成する座部フレーム１２ａを支持する前後左右のそれぞれに立設される支持脚フレーム１２ｂにおいて左右一対となるように固定されている。なお、図２では、右側のレール部材３１を取り外した状態、つまり左側のレール部材３１のみ図示している。
【００２０】
スライド機構３０を構成するスライドフレーム３２は、レール部材３１に対してコロ部材３３によって前後方向に移動可能となるように左右一対のレール部材３１のそれぞれに対応して配置されている。そして、各スライドフレーム３２は、それぞれの前端側に一対のリンク部材３５が座部１２の左右方向に延びる回動軸３５ａにて回動可能に接続されている。なお、前記左右一対のリンク部材３５は、図８に示すように連結部材３６にて各リンク部材３５が一体回動するよう連結されている。そして、リンク部材３５には、前記オットマン１４を成す脚部用保持部２１及び足部用保持部２２が回動軸３５ｂ，３５ｃにてそれぞれ回動可能に設けられている。
【００２１】
また、本実施形態のマッサージ機１０は、座部１２の下部にオットマン１４を収納する前記収納状態でオットマン１４の前方向へのスライド移動をロックするための収納状態ロック機構４０を備えている。
【００２２】
収納状態ロック機構４０は、図２に示すように、支持脚フレーム１２ｂに固定されたレール部材３１側に設けられるストッパ４１と、オットマン１４と連結されるスライドフレーム３２側に固定されるストッパ受け４２とで構成されている。ストッパ４１は、レール部材３１に設けられるとともにレール部材３１の長手方向と直交する方向である上方に延びる支持部３１ａの回動軸３１ｂを中心として回動される回動アーム４３を介してレール部材３１に取り付けられている。ストッパ４１は、回動アーム４３の回動によって、ストッパ受け４２に当たる下方位置と、ストッパ受け４２には当たらない上方位置との間で、切り替え自在になっている。なお、回動アーム４３は、ストッパ４１を下方位置に保持するようにねじりコイルばね４５によって付勢されている。
【００２３】
図１、図４及び図６に示すように、本実施形態のマッサージ機１０は、座部１２の前方にオットマン１４を露出させる前記使用状態における前後方向にずれた２位置でオットマン１４の後方への移動をロックする使用状態ロック機構５０を備えている。
【００２４】
使用状態ロック機構５０は、座部１２の前方にオットマン１４を露出させる前記使用状態の内でスライド機構３０による最前方位置（図６及び図７参照）でロックする前方位置ロック機構５０ａと、途中位置（図４及び図５参照）でロックする途中位置ロック機構５０ｂとで構成される。
【００２５】
前方位置ロック機構５０ａは、図６（ａ）（ｂ）に示すように、支持脚フレーム１２ｂに固定されたレール部材３１側に設けられるストッパ５１と、オットマン１４と連結するスライドフレーム３２の後端部に固定されるストッパ受け５２とで構成される。ストッパ５１は、レール部材３１に設けられる上方に延びる前記支持部３１ａの回動軸３１ｂを中心として回動される回動アーム５３を介してレール部材３１に取り付けられている。ストッパ５１は、回動アーム５３の回動によって、ストッパ受け５２に当たる下方位置と、ストッパ受け５２には当たらない上方位置との間で、切り替え自在になっている。また、ストッパ５１を有する回動アーム５３は、ストッパ５１を下方位置に保持するようにねじりコイルばね４５（図２参照）によってばね付勢されている。なお、このねじりコイルばね４５は、前記収納状態ロック機構４０のストッパ４１を付勢するコイルばね４５と同一のものである。つまり、各ロック機構４０，５０の回動アーム４３，５３は同一の回動軸３１ｂを中心として回動されるとともに、その回動軸３１ｂに設けられるねじりコイルばね４５によって各回動アーム４３，５３を介してストッパ４１，５１を下方位置に付勢している。
【００２６】
途中位置ロック機構５０ｂは、図４（ａ）（ｂ）に示すように、支持脚フレーム１２ｂに固定されたレール部材３１側に設けられるストッパ５１と、前記ストッパ受け５２よりもスライドフレーム３２の前方側に固定される前方のストッパ受け５５とで構成される。ここで、前記ストッパ５１は、前記ねじりコイルばね４５（図２参照）によって回動アーム５３の回動によって、ストッパ受け５５に当たる下方位置と、ストッパ受け５５には当たらない上方位置との間で、切り替え自在になっている。
【００２７】
また、マッサージ機１０は、各ロック機構４０，５０によるロックを解除する解除機構６０と、この解除機構６０によって各状態におけるロックを解除した場合にオットマン１４を所定量移動させる付勢機構７０とを備えている。
【００２８】
解除機構６０は、前記回動アーム４３，５３と、座部フレーム１２ａに設置される解除レバー６１と、解除レバー６１とそれぞれの回動アーム４３，５３とを接続する２つの線材６２とを有している。解除レバー６１は、座部フレーム１２ａに対して回動軸６３ａを中心として回動可能とされる解除プレート部材６３と、解除プレート部材６３に設けられるとともに座部１２及び肘掛け部１６との間から一部が外部に露出される紐状の引っ張り部材６４とを有する。そして、引っ張り部材６４を上方に引っ張り上げると、解除プレート部材６３が回動されて線材６２を介して２本の回動アーム４３，５３が所定方向（本実施形態では上方）に揺動する。この結果、ストッパ４１，５１をストッパ受け４２，５２とは当たらない上方位置に移動させるようになっている。
【００２９】
オットマン１４を所定量移動させる付勢機構７０は、レール部材３１とスライドフレーム３２との間に介在する引っ張りコイルばね７１から成る。
引っ張りコイルばね７１は、オットマン１４が座部１２下方の収納状態にあるときにはスライドフレーム３２に前方への付勢力を与えるとともに、オットマン１４が使用状態にあるときにはスライドフレーム３２に後方への付勢力を与えるようになっている。より具体的には、引っ張りコイルばね７１は、互いの位置関係が前記収納状態及び使用状態とで相対的に変化する前記支持部３１ａと前記ストッパ受け４２後部に設けられる係止部７２との間に接続されている。
【００３０】
オットマン１４が図２に示すように収納状態にあるときには、ストッパ４１をストッパ
受け４２と係合させることでスライドフレーム３２及びオットマン１４の前後方向への移動がロックされている。この時、オットマン１４は、脚部用保持部２１の一部（使用状態において上端側となる部分）が、足部用保持部２２の左右の側壁２２ｂ間に収まり小型化された状態で、座部１２の下部の収容空間内に収納されて収納状態が保持されるようになっている。この収納状態において、脚部用保持部２１はその下腿保持面２１ａを下方に向けた姿勢（以下「下向き姿勢」という）で位置する。また足部用保持部２２はその足裏保持面２２ａを後方に向けるとともに足裏保持面２２ａの裏側に位置する脚載面２２ｃを前方に向けた姿勢（以下「後ろ向き姿勢」という）で位置する。なお、各保持部２１，２２は、図２に示すように脚部用保持部２１をスライドフレーム３２側に付勢するばね８０及びコイルばね８１によって付勢されることで収容状態における下向き姿勢及び後ろ向き姿勢となるように保持されている。そして、この下向き姿勢にある脚部用保持部２１の前端部分（使用状態において上端側となる部分）を、足部用保持部２２の左右の側壁２２ｂ間に収めることで、全体をコンパクト化している。
【００３１】
一方、オットマン１４を収納状態若しくは使用状態から他の状態に移行させる時には、図３に示すように前記引っ張りコイルばね７１による付勢力が最も小さくなるロック解除状態となってから他の状態に移行されるようになっている。この場合、使用者によって引っ張り部材６４が上方に引っ張られることで、解除プレート部材６３が回動されて各回動アーム４３，５３の先端が上方に回動されることでストッパ４１，５１とストッパ受け４２，５２，５５との係合が解除される。この解除と連動して、引っ張りコイルばね７１の付勢力によってオットマン１４全体を前方若しくは後方にスライド移動させるようになっている。
【００３２】
また、オットマン１４が図４又は図５に示すように使用状態の途中位置にあるときには、ストッパ５１をストッパ受け５５と係合させることでスライドフレーム３２及びオットマン１４の後方向への移動がロックされている。ここで、前記ロック解除状態から例えば図４に示す使用状態の内の脚載可能状態に移行させる際には、オットマン１４全体を更に前方へと押し出す。すると、オットマン１４は、収納状態における各姿勢を保持したまま、脚部用保持部２１を付勢するばね８０によってリンク部材３５が回動軸３５ａを中心として回動されることで足部用保持部２２の脚載面２２ｃが座部１２前方に露出される脚載可能状態となる。
【００３３】
そして図４に示す脚載可能状態から図５に示す使用状態の内のマッサージ可能状態に移行させる際には、例えば足部用保持部２２をコイルばね８１の付勢力に抗する力で前方に回動させる。すると、リンク部材３５によって連動されるように接続された脚部用保持部２１が回動軸３５ｂを中心として脚部用保持部２１とは反対方向に回動される。このように、各保持部２１，２２が連動されて回動されることで、下腿保持面２１ａと足裏保持面２２ａとが成す角度が略９０度となり、使用者の脚部を載置して各エアバッグ２３，２４によるマッサージが可能なマッサージ可能状態となっている。このとき、足裏保持面２２ａの面直交方向と前記引っ張りコイルばね７１によるオットマン１４の付勢方向（スライド方向又は後方向）とが異なるように設定されている。
【００３４】
また、オットマン１４が図６又は図７に示すように使用状態の最前方位置にあるときには、ストッパ５１をストッパ受け５２と係合させることでスライドフレーム３２及びオットマン１４の後方向への移動がロックされている。ここで、前記ロック解除状態から例えば図６に示す使用状態の内の脚載可能状態に移行させる際には、オットマン１４全体を更に前方へと押し出す。すると、オットマン１４は、収納状態における各姿勢を保持したまま、脚部用保持部２１を付勢するばね８０によってリンク部材３５が回動軸３５ａを中心として回動されることで足部用保持部２２の脚載面２２ｃが座部１２前方に露出される脚載可能状態となる。
【００３５】
そして図６に示す脚載可能状態から図７に示す使用状態の内のマッサージ可能状態に移行させる際には、例えば足部用保持部２２をコイルばね８１の付勢力に抗する力で前方に回動させる。すると、リンク部材３５によって連動されるように接続された脚部用保持部２１が回動軸３５ｂを中心として脚部用保持部２１とは反対方向に回動されるようになっている。このように、各保持部２１，２２が連動されて回動されることで、下腿保持面２１ａと足裏保持面２２ａとが成す角度が略９０度となり、使用者の脚部を載置して各エアバッグ２３，２４によるマッサージが可能なマッサージ可能状態となっている。
【００３６】
上記のように構成されたマッサージ機１０では、以下に述べるようにしてオットマン１４を使用状態にセットして使用し、使用後はオットマン１４を座部１２下に容易且つコンパクトに収納させて収容状態としておくことができる。
【００３７】
まず、使用者は本マッサージ機１０の使用に際し、オットマン１４を収納させた状態のマッサージ機１０の座部１２上に着座する。座部１２の側方に露出された引っ張り部材６４を上方に引っ張ることでストッパ４１によるロックを解除し、引っ張りコイルばね７１の付勢力によってオットマン１４全体を図３に示す解除状態となる位置まで所定距離だけ前方に押し出させる。なお、オットマン１４の脚部用保持部２１は、特に外力が作用しない場合には前記下向き姿勢を維持するようにスライドフレーム３２側にばね８０により付勢されている。また、足部用保持部２２は、リンク部材３５との連結部位である回動軸３５ｃにコイルばね８１が設けられており、特に外力が発生しない時には、その爪先側を座部１２に近づける方向に回転付勢力を与えるものである。したがって、足部用保持部２２が有する足裏保持面２２ａを足裏で押し込むと、足部用保持部２２は爪先側を前方に倒すように回転し、足裏の押し込みを戻せば、これに伴って足部用保持部２２は爪先側を起こすように復帰する。このとき、足部用保持部２２は使用者の足で押されることで前方に回転して使用者の足首の角度に沿う（フィットする）ように変位する。
【００３８】
ここで、使用者がそのまま足裏を前方に押し出すと、スライドフレーム３２を介して脚部用保持部２１と足部用保持部２２とが共に前方へ移動する。脚部用保持部２１については、途中から座部フレーム１２ａと連結される連結部材（図示略）によってその先端側が座部１２側に引っ張られることで回転駆動力を付与され、先端部分を上方に持ち上げるように回動される（図４参照）。これに伴って、リンク部材３５を介して足部用保持部２２が前記リンク部材３５の回動軸３５ａを中心に各姿勢を保持したまま座部１２側に回動される。そして足部用保持部２２の脚載面２２ｃが使用者が着座した状態で例えば脹脛が好適に保持できる位置である脚載可能状態とされる。
【００３９】
そして、使用者は図４又は図６のようにオットマン１４が脚載可能状態である場合に、足部用保持部２２を図４又は図６示す状態から更に自身の足裏にフィットする角度まで座部１２から遠ざかる方向に回動させる。すると、リンク部材３５にて連動される脚部用保持部２１が足部用保持部２２とは逆方向（座部１２側）に回動される。これによって、脚部用保持部２１は、その下腿保持面２１ａが座部１２の前方に露出されて、使用者の脚部（下腿）をその保持面２１ａに載置させることが可能となるマッサージ可能状態（図５又は図７参照）とされる。なお、このマッサージ可能状態は前述したように各保持部２１，２２の保持面２１ａ，２２ａがなす角度が略９０度となるよう設定されているため使用者の膝下から足先を各保持面２１ａ，２２ａに容易に載置することができるようになっている。このような状態において、例えば脚部用保持部２１や足部用保持部２２に配置したエアバッグ２３，２４によって脚部にマッサージを施すことができる。
【００４０】
またオットマン１４は、図５に示すように途中位置ロック機構５０ｂにより途中位置で引っ張りコイルばね７１の付勢による移動が停止された状態において、足裏保持面２２ａの面直交方向が引っ張りコイルばね７１による付勢方向からずれて設定される。このため、足裏保持面２２ａに設けられるエアバッグ２４の膨張方向と引っ張りコイルばね７１による付勢方向（スライド方向）とが一致しないため、エアバッグ２４が膨張してもオットマン１４の前方への移動を抑えることができるようになっている。
【００４１】
次に、本実施形態の特徴的な作用効果を記載する。
（１）スライド機構３０によるスライド移動の途中位置で付勢手段を構成する引っ張りコイルばね７１による近接方向への付勢に抗する途中位置ロック機構５０ｂが備えられる。そしてオットマン１４は、その足裏保持面２２ａが前記引っ張りコイルばね７１による近接方向と、足裏保持面２２ａと直交する方向とが異なる方向となるように構成される。これにより、足裏保持面２２ａに設けられるエアバッグ２４が膨張してもオットマン１４が前方へ移動することが抑えられるため、エアバッグ２４による足裏へのマッサージを効果的に実施することができる。
【００４２】
（２）オットマン１４が最離間位置である場合に、前記引っ張りコイルばね７１によるオットマン１４の近接方向への移動を規制すべくロックする最離間位置ロック機構としての前方位置ロック機構５０ａが備えられる。これにより、オットマン１４を途中位置だけでなく最前方位置においても前記引っ張りコイルばね７１の付勢によるオットマン１４の移動を停止させることができる。
【００４３】
尚、本発明の実施形態は、以下のように変更してもよい。
・上記実施形態では、回動軸３１ｂに１つのねじりコイルばね４５を設けて各回動アーム４３，５３を下方向（スライドフレーム３２）側に付勢するよう構成したが、各回動アーム４３，５３を付勢する構成はこれに限らない。
【００４４】
・上記実施形態では、脚部用保持部２１にエアバッグ２３を設ける構成としたが、このエアバッグ２３を省略した構成を採用してもよい。
・上記実施形態では、スライド機構３０により座部１２の前後方向にスライド移動する構成としたが、その移動方向はこれに限らない。要は、座部１２に着座した使用者にオットマン１４（足裏保持面２２ａ）を近接させたり離間させたりするようなスライド移動であれば移動方向は特に問わない。
【００４５】
・上記実施形態では、オットマン１４の足部用保持部２２及び脚部用保持部２１を回動させて収納状態にはオットマン１４がコンパクトな状態で収納する構成としたが、これに限らない。例えば、オットマン１４の足部用保持部２２及び脚部用保持部２１を回動不能な構成として、図５及び図７に示すようにオットマン１４をマッサージ可能状態とした状態でオットマン１４を座部１２の下部に収納する構成としてもよい。
【００４６】
・上記実施形態では、オットマン１４の各保持部２２，２１を回動させて足部用保持部２２の脚載面２２ｃを利用した脚載可能状態に切替可能な構成としたが、脚載不能状態、つまり使用状態ではマッサージ可能状態のみ利用可能な構成としてもよい。
【００４８】
・上記実施形態では、特に言及していないが、足裏保持面２２ａに設けられるエアバッグ２４の上面にヒータを設けて使用者の足部に対して熱を付与する構成としてもよい。このような構成とすることで、使用者の足部を温めて足部の血行を良好とすることが可能となる。
【００４９】
・上記実施形態では、背もたれ部１３に施療子１７ａを有するマッサージ機構１７を内蔵する構成としたが、前記マッサージ機構１７を省略した構成を採用してもよい。
【符号の説明】
【００５０】
１０…マッサージ機、１２…座部、１４…オットマン、２２ａ…足裏保持面、２４…エアバッグ（足裏マッサージ手段）、３０…スライド機構（前後スライド機構）、５０ａ…前方位置ロック機構（最離間位置ロック機構）、５０ｂ…途中位置ロック機構。
【図１】
0005271371.tif 000002
【図２】
0005271371.tif 000003
【図３】
0005271371.tif 000004
【図４】
0005271371.tif 000005
【図５】
0005271371.tif 000006
【図６】
0005271371.tif 000007
【図７】
0005271371.tif 000008
【図８】
0005271371.tif 000009